(57)【要約】【課題】通気部での通気を妨げず、しかも、通気部での雨水等の吹上げを防ぐことができ、また、それをきれいな納まりで実現することができる、通気式外壁垂れ壁の下端部止水構造を提供する。【解決手段】外壁垂れ壁１内に上下方向に延びる通気部２が設けられ、垂れ壁１の下端部に垂れ壁見切り３が下面側と立ち上がり面側とにわたるように設けられ、垂れ壁見切り３は、窯業系の見切りからなって下面側の位置において立ち上がり面側の見切り部材４と下面側の見切り部材５とに分割されて見切り部材４，５間を通気部２の開口部６とし、通気部２が垂れ壁見切り３の下面側に開口している。また、垂れ壁見切り３の立ち上がり面側は、外壁垂れ壁１の立ち上がり面１ａ側に重ねられ、それらの間が乾式止水材７で止水されている。【選択図】      図１
2006283386.tif 000002
【特許請求の範囲】
【請求項１】
外壁垂れ壁内に上下方向に延びる通気部が設けられると共に、外壁垂れ壁の下端部に垂れ壁見切りが下面側と立ち上がり面側とにわたるように設けられ、前記通気部が、垂れ壁見切りの下面側において開口していることを特徴とする、通気式外壁垂れ壁の下端部止水構造。
【請求項２】
前記垂れ壁見切りが、窯業系の見切りからなって、下面側の位置において立ち上がり面側の見切り部材と下面側の見切り部材とに分割され、これら見切り部材間を通気部の開口部としている請求項１に記載の、通気式外壁垂れ壁の下端部止水構造。
【請求項３】
前記垂れ壁見切りが窯業系の見切りからなり、その立ち上がり面側が、外壁垂れ壁の立ち上がり面側に重ねられ、それらの間が乾式止水材で止水されている請求項１又は２に記載の、通気式外壁垂れ壁の下端部止水構造。
【発明の詳細な説明】
【技術分野】
【０００１】
本発明は、バルコニー腰壁などの通気式外壁垂れ壁、の下端部の止水構造に関する。
【背景技術】
【０００２】
外壁面が日射で高温になるを防ぐなどの目的で、外壁に上下方向に延びる通気部を設けた通気式外壁構造を採用する場合に、バルコニー腰壁などの外壁垂れ壁部分の通気部の下端部の止水をいかにして行うかが問題であり、シーリングで塞いだのでは通気がなされず、開いたままでは雨水等が通気部内に吹き上げられてしまいその水が屋内側に侵入してしまうおそれがある。また、外壁垂れ壁の下端部はきれいな納まりにしたいものである。
【発明の開示】
【発明が解決しようとする課題】
【０００３】
本発明は、上記のような問題点に鑑み、通気部での通気を妨げず、しかも、通気部での雨水等の吹上げを防ぐことができ、また、それをきれいな納まりで実現することができる、通気式外壁垂れ壁の下端部止水構造を提供することを課題とする。
【課題を解決するための手段】
【０００４】
上記の課題は、外壁垂れ壁内に上下方向に延びる通気部が設けられると共に、外壁垂れ壁の下端部に垂れ壁見切りが下面側と立ち上がり面側とにわたるように設けられ、前記通気部が、垂れ壁見切りの下面側において開口していることを特徴とする、通気式外壁垂れ壁の下端部止水構造によって解決される。
【０００５】
この構造では、通気部が、外壁垂れ壁の下面側において開口しているので、雨水等が通気部内に吹き上げられにくく、屋内側への雨水等の侵入を有効的に防ぐことができる。しかも、このように、通気部の下端部は外壁垂れ壁の下面側において開口しているので、通気部内の空気は温度差上昇などによって上昇することができ、通気部としての働きが妨げられることもない。加えて、垂れ壁見切りの採用で、外壁垂れ壁の下端部の納まりを良好なものにすることができる。
【０００６】
上記の構造において、垂れ壁見切りが、窯業系の見切りからなって、下面側の位置において立ち上がり面側の見切り部材と下面側の見切り部材とに分割され、これら見切り部材間を通気部の開口部としているとよい。
【０００７】
この場合は、外壁垂れ壁の下端部を窯業系の見切りによってきれいな納まりにすることができ、しかも、窯業系の見切りでありながら、これを立ち上がり面側の見切り部材と下面側の見切り部材とに分割することで通気部の開口部を形成しているので、窯業系の見切りに対する通気部用の開口部の形成を容易にすることができる。
【０００８】
また、上記の構造において、垂れ壁見切りが窯業系の見切りからなり、その立ち上がり面側が、外壁垂れ壁の立ち上がり面側に重ねられ、それらの間が乾式止水材で止水されている場合は、垂れ壁見切りと垂れ壁との境界部を横目地の走らない見栄えの良いものにすることができて、きれいな納まりにすることができる。
【発明の効果】
【０００９】
本発明の通気式外壁垂れ壁の下端部止水構造は、以上のとおりのものであるから、通気部での通気を妨げず、しかも、通気部での雨水等の吹上げを防ぐことができ、また、それをきれいな納まりで実現することができる。
【発明を実施するための最良の形態】
【００１０】
次に、本発明の実施最良形態を図面に基づいて説明する。
【００１１】
図１及び図２に示す実施形態の構造において、１は外壁垂れ壁であり、該垂れ壁１内には、上下方向に延びる通気部２が形成されている。そして、外壁垂れ壁１の下端部には、窯業系からなる垂れ壁見切り３が、該下端部の下面側と立ち上がり面側とにわたるように設けられており、該垂れ壁見切り３は、立ち上がり面側の見切り部材４と、下面側の見切り部材５とに分割され、立ち上がり面側の見切り部材４は外壁垂れ壁１の下面側に張り出す部分４ａを備えて、外壁垂れ壁１の下面側の位置において、両見切り部材４，５間に通気部２の開口部６が形成されている。
【００１２】
また、立ち上がり面側の見切り部材４の立ち上がり部４ｂ側は、外壁垂れ壁１の立ち上がり面１ａ側に重ねられ、それらの間が乾式止水材７で止水されている。
【００１３】
なお、立ち上がり面側の見切り部材４の張出し部分４ａの下面側８は外に向けて下方に傾斜し、開口部６から垂れ出てくる水を外に誘導して落下させるようになされている。また、９は胴差、１０は軒天プレートである。
【００１４】
上記の構造では、通気部２が、外壁垂れ壁１の下面側において開口しているので、雨水等が通気部２内に吹き上げられにくく、屋内側への雨水等の侵入を有効的に防ぐことができる。しかも、このように、通気部２の下端部は外壁垂れ壁１の下面側において開口していることで、通気部２内の空気は温度差上昇などによって上昇することができ、通気部２としての働きが妨げられることもない。なお、矢印は水の経路を示している。
【００１５】
そして、垂れ壁見切り３の採用、特に窯業系の垂れ壁見切り３の採用で、外壁垂れ壁１の下端部の納まりを良好なものにすることができ、しかも、窯業系の見切りでありながら、これを立ち上がり面側の見切り部材４と下面側の見切り部材５とに分割し、下面側の位置において通気部２の開口部６を設けたので、窯業系の見切り３に対する通気部２用の開口部６の形成を容易にすることができる。
【００１６】
更に、垂れ壁見切り３のその立ち上がり面側が、外壁垂れ壁１の立ち上がり面側に重ねられ、それらの間が乾式止水材７で止水されているので、垂れ壁１の立ち上がり面１ａと垂れ壁見切り３との境界部を横目地の走らない見栄えの良いものにすることができる。
【００１７】
以上に、本発明の実施形態を示したが、本発明はこれに限られるものではなく、発明思想を逸脱しない範囲で各種の変更が可能である。例えば、上記の実施形態では、垂れ壁見切りとして、窯業系のものを用いた場合を示したが、アルミやステンレス、樹脂等からなっていてもよく、それらの場合に、通気部用の開口部は、垂れ壁見切りを分割することなく垂れ壁見切りに形成されたものであってもよい。
【００１８】
また、上記の実施形態では、垂れ壁見切りを分割して通気部の開口部を形成した場合を示したが、垂れ壁見切りを分割することなく、下面側の屋内側の先端部に通気部の開口部を備えさせるようにしてもよい。
【図面の簡単な説明】
【００１９】
【図１】実施形態の止水構造を示すもので、図（イ）は要部断面側面図、図（ロ）は同分解断面斜視図である。
【図２】同通気式外壁垂れ壁の断面側面図である。
【符号の説明】
【００２０】
１…外壁垂れ壁
１ａ…立ち上がり面
２…通気部
３…垂れ壁見切り
４…立ち上がり側の見切り部材
５…下面側の見切り部材
６…開口部
７…乾式止水材
【図１】
2006283386.tif 000003
【図２】
2006283386.tif 000004